【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
アドホックワイヤレスネットワークの受信機ステーションが節電状態に入るための方法であって、
アドホックワイヤレスネットワーク内の送信機ステーションのリストを維持するステップであって、該リストにおける該送信機ステーションは、アウェイク状態にあることが知られており、該リストにおける該送信機ステーションから、前記受信機ステーションが現在のビーコンインターバル内に該受信機ステーションへのデータフレームの更なる送信を指示するコントロール又はデータフレームを受信している、該ステップと、
前記リストの各送信機ステーションから前記データフレームを受信し、前記リストの各送信機ステーションに対するタイマーを維持し、対応する送信機ステーションからデータフレームを受信した際に各タイマーをリセットし、前記更なる送信の完了時に前記リストから各送信機ステーションを取り除くステップであって、該完了は、前記データフレームの選択されたフィールドにおいて前記送信機ステーションにより指示される、該ステップと、
前記リストが空になるときに前記節電状態に入るステップと、
を含む方法。
【請求項２】
前記コントロール又はデータフレームが、ＡＴＩＭフレームを含む、請求項１に記載の方法。
【請求項３】
前記タイマーのうちの一つがタイムアウトするとき、前記受信機ステーションが、空のデータフレームを前記対応する送信機ステーションへ送信する、請求項１に記載の方法。
【請求項４】
前記受信機ステーションが、前記現在のビーコンインターバル内で前記対応する送信機ステーションに複数の空のデータフレームを送信した後に、前記リストから前記対応する送信機ステーションを取り除く、請求項３に記載の方法。
【請求項５】
前記送信機ステーションのうちの一つからデータフレームを受信すると、前記受信機ステーションが、確認応答フレームにより応答し、前記確認応答フレームの選択されたフィールドは、前記受信機ステーションが送信すべきデータフレームを有することを指示するようにセットされている、請求項１に記載の方法。
【請求項６】
前記受信機ステーションによって送信されるべきデータフレームは、前記確認応答フレームが送信されている前記送信機ステーションへ向けられる、請求項５に記載の方法。
【請求項７】
アドホックワイヤレスネットワークのステーションが現在のビーコンインターバルにおける目下の電力管理移行に関してそのピアステーションに通知するための方法であって、
アウェイク状態にある前記ピアステーションのリストを維持するステップと、
前記リストのピアステーションに、該ピアステーションから受信するデータフレームに応答して、確認応答フレームを送信するステップであって、前記確認応答フレームのヘッダー内の選択されたフィールドは、前記ステーションが前記現在のビーコンインターバルの間にピアステーションに対する更なるデータフレームを有するか否かを示し、前記確認応答フレームは、前記データフレームの受信からＳＩＦＳタイム内に送信される、該ステップと、
を含む方法。
【請求項８】
アドホックワイヤレスネットワークのステーションが現在のビーコンインターバルにおける目下の電力管理移行に関してそのピアステーションに通知するための方法であって、
アウェイク状態にある前記ピアステーションのリストを維持するステップと、
前記リストのピアステーションに、該ピアステーションから受信するデータフレームに応答して、確認応答フレームを送信するステップであって、前記確認応答フレームのヘッダー内の選択されたフィールドは、前記ステーションが前記現在のビーコンインターバルの間にピアステーションに対する更なるデータフレームを有するか否かを示し、前記確認応答フレームは、前記データフレームを受信するＰＩＦＳタイム内に送信される、該ステップと、
を含む方法。
【請求項９】
アドホックワイヤレスネットワークのステーションが現在のビーコンインターバルにおける目下の電力管理移行に関してそのピアステーションに通知するための方法であって、
アウェイク状態にある前記ピアステーションのリストを維持するステップと、
前記リストのピアステーションに、該ピアステーションから受信するデータフレームに応答して、確認応答フレームを送信するステップと、
前記確認応答フレームが送信される前記ピアステーションへの送信の完了を指示するために空のデータフレームを送信するステップと、
を含む方法。
【請求項１０】
前記空のデータフレームは、分散制御機能を使用して送信される、請求項９に記載の方法。
【請求項１１】
前記空のデータフレームは、前記確認応答フレームのＳＩＦＳ内に送信される、請求項９に記載の方法。
【請求項１２】
前記確認応答フレームが送信される前記ピアステーションへデータフレームを送信するステップを更に含む、請求項９に記載の方法。
【請求項１３】
アドホックワイヤレスネットワークの送信機ステーションが節電状態に入るための方法であって、
前記アドホックワイヤレスネットワーク内の受信機ステーションの第１のリストを維持するステップであって、該第１のリストは、それらから、送信機ステーションが、該送信機ステーションによって送信されるコントロールフレームであって現在のビーコンインターバル内に送信されるべきデータフレームを示す該コントロールフレームへの確認応答フレームを受信している受信機ステーションを含んでいる、該ステップと、
前記アドホックワイヤレスネットワーク内の受信機ステーションの第２のリストを維持するステップであって、該第２のリストは、それらから、前記送信機ステーションが、該送信機ステーションによって送信されるコントロールフレームであって現在のビーコンインターバル内に送信されるべきデータフレームを示す該コントロールフレームへの確認応答フレームの受信を失敗している受信機ステーションを含んでいる、該ステップと、
前記第１のリスト及び第２のリストの双方における各受信機ステーションへ前記データフレームを送信するステップと、
前記節電状態に入るステップと、
を含む方法。
【請求項１４】
受信機ステーションへのデータフレームの送信が成功したときに、前記受信機ステーションを前記第２のリストから前記第１のリストへと移すステップを更に含む、請求項１３に記載の方法。
【請求項１５】
前記送信機ステーションは、データフレームのヘッダーにおける選択されたフィールドにおいて、該送信機ステーションが送信する更なるデータを有するか否かを示すことにより、各受信機ステーションへその受信機ステーションへの送信の完了を指示する、請求項１４に記載の方法。
【請求項１６】
前記送信機ステーションは、前記データフレームに応答して確認応答フレームを調べて、前記受信機ステーションが前記送信機ステーションに対するデータフレームを有するか否かを判定する、請求項１５に記載の方法。
【請求項１７】
前記送信機ステーションは、更に、受信機ステーションのピアリストを維持し、前記送信機ステーションは、前記受信機ステーションが該送信機ステーションに対するデータフレームを有することを前記確認応答フレームから決定する場合に、前記受信機ステーションを前記ピアリストへ加える、請求項１６に記載の方法。
【請求項１８】
前記受信機ステーションは、該受信機ステーションからの送信が完了するときに前記ピアリストから取り除かれる、請求項１７に記載の方法。
【請求項１９】
前記送信機ステーションは、前記ピアリストが空になるときに前記節電状態に入る、請求項１８に記載の方法。
【請求項２０】
アドホックワイヤレスネットワーク内のマルチキャストフレームの送信機ステーションが節電状態に入るための方法であって、
前記送信機ステーションと他のステーションとの間でＡＴＩＭウィンドウにて以前に通知されたユニキャストデータ送信を完了するステップと、
前記送信機ステーションによるマルチキャスト送信を完了するステップと、
マルチキャストの空のデータフレームを送信するステップであって、該マルチキャストの空のデータフレームのヘッダーにおける選択されたフィールドは、前記送信機ステーションが送信する更なるデータを有するか否かを示す、該ステップと、
前記節電状態に入るステップと、
を含む方法。
【請求項２１】
他のステーションが前記送信機ステーションへ送信すべきデータフレームを有するか否かを判定するために、該他のステーションからの応答を調べるステップを更に含む、請求項２０に記載の方法。
【請求項２２】
前記調べるステップは、前記マルチキャストの空のデータフレームに対して、ステーションが全く応答しなかったか、一つのステーションが応答したか、又は二つ以上のステーションが応答したかを判定することを含む、請求項２１に記載の方法。
【請求項２３】
前記マルチキャストの空のデータフレームに応答したステーションからデータフレームを受信するステップを更に含む、請求項２２に記載の方法。
【請求項２４】
前記マルチキャストの空のデータフレームに応答したステーションから全てのデータフレームを受信した際に、前記節電状態への移行を指示する通知フレームを送信するステップを更に含む、請求項２３に記載の方法。
【請求項２５】
二つのステーションからデータフレームを受信した際に、前記マルチキャストの空のデータフレームを再送信する、請求項２２に記載の方法。
【請求項２６】
タイマーをセットし、前記他のステーションのうちの一以上のものが前記送信機ステーションへ送信すべきデータフレームを有していることを指示するコントロール又はデータフレームを受信することなく前記タイマーが切れるときに、前記節電状態に入るステップを更に含む、請求項２０に記載の方法。
【請求項２７】
前記他のステーションのうちの一つから、そのステーションが前記送信機ステーションへ送信されるべきデータフレームを有していることを指示するコントロール又はデータフレームを受信するときに、前記送信機ステーションは、そのステーションをピアリストへ含ませ、前記データフレームがそのステーションから受信されるときに、そのステーションを前記ピアリストから取り除く、請求項２６に記載の方法。
【請求項２８】
前記送信機ステーションは、前記ピアリストが空になるときに前記節電状態に入る、請求項２７に記載の方法。
【請求項２９】
前記送信機ステーションは、前記ＡＴＩＭウィンドウ中無差別モードで動作する、請求項２０に記載の方法。